(57)【要約】【課題】ボルトや工具を必要とせず、確実にフィルタとケージを固定することができ、フィルタとケージの取付けおよび取外しを少ない工数で行うことができるパルスジェット式集塵機のケージ固定機構を提供する。【解決手段】ケージ１７が挿入された筒状のフィルタ１４の上方に逆洗空気供給用のマニホールド２０が配置されたパルスジェット式集塵機のケージ固定機構である。弾性材料からなりその中央連結部２５の両端から下方に延びる両脚２６をくの字状に屈曲させたケージ固定用部品２４を用い、中央連結部２５をマニホールド２０の下面に当接させ、両脚の下端部２７をケージ１７の上部のベンチュリ１９に当接させた状態として各フィルタ毎に挿入し、ケージ固定用部品２４の弾性によりケージ１７の浮き上がりを防止した。【選択図】図６
2015033653.tif 000002
【特許請求の範囲】
【請求項１】
ケージが挿入された筒状のフィルタの上方に逆洗用ノズル備えたマニホールドが配置されたパルスジェット式集塵機のケージ固定機構であって、
弾性材料からなり、その中央連結部の両端から下方に延びる両脚をくの字状に屈曲させたケージ固定用部品を、前記中央連結部を前記マニホールドに当接させ、前記両脚の下端部をケージ上部のベンチュリに当接させた状態として各フィルタ毎に配置し、これらのケージ固定用部品の弾性によりケージの浮き上がりを防止したことを特徴とするパルスジェット式集塵機のケージ固定機構。
【請求項２】
逆洗用ノズルが水平なマニホールドの下面に突設されたものであり、ケージ固定用部品の中央連結部をこのマニホールドと逆洗用ノズルとの連結部に当接させたことを特徴とする請求項１記載のパルスジェット式集塵機のケージ固定機構。
【請求項３】
ケージ固定用部品がバネ鋼線を屈曲させたものであることを特徴とする請求項１記載のパルスジェット式集塵機のケージ固定機構。
【発明の詳細な説明】
【技術分野】
【０００１】
本発明は、パルスジェット式集塵機のフィルタ内に挿入されたケージを集塵機に固定するために用いられるパルスジェット式集塵機のケージ固定機構に関するものである。
【背景技術】
【０００２】
パルスジェット式集塵機は、図１に示すように、集塵機内部にセルプレート１が設けられており、集塵室２と清浄室３とに区切られている。集塵室２にはフィルタ４が取付けられており、吸気口５より吸引された粉塵を含んだ空気は、フィルタ４により粉塵と清浄な空気とに分離された後、清浄室３を通って排気口８から排気される。
【０００３】
フィルタ４には時間とともにダストが堆積するため、ノズル６から噴射されるダスト払い落し用の圧縮エアをフィルタ４の内部に吹込み、フィルタ４に付着した堆積したダストを払い落す操作を自動的に行う。
【０００４】
このような機構をもつパルスジェット式集塵機に用いられるフィルタ４は、特許文献１に示されるような円筒形状のフィルタが一般的に多く使用されている。また、集塵時にフィルタ４がつぶれないように、フィルタ形状を保持するための特許文献２に示されるようなケージ７が一般的に挿入されている。ケージ７の形状を図２に示す。
【０００５】
このケージ７はフィルタ４内で固定されていない場合、ダスト払い落し用の圧縮エアをフィルタ４の内部に吹込む際にフィルタ内で圧縮エアの衝撃により大きく動きフィルタ４の破損につながるため、従来からフィルタ内でケージ７を固定する手段が考えられてきた。その多くは特許文献３に示されるように、フィルタ４とケージ７をそれらの上部でボルトを用いて固定する方法であった。しかしながら、フィルタ１本当たりにボルト数本を用いて固定するため、フィルタ４の取付け時および取外し時には多大な工数が掛かり、作業性が悪いという問題があった。
【先行技術文献】
【特許文献】
【０００６】
【特許文献１】特開２００６−３２０８５８号公報
【特許文献２】特開昭６３−２３７０９号公報
【特許文献３】特開２００５−１３１４５６号公報
【発明の概要】
【発明が解決しようとする課題】
【０００７】
従って本発明の目的は上記した従来の問題点を解決し、ボルトや工具を必要とせず、簡便かつ確実にフィルタとケージを固定することができ、フィルタとケージの取付けおよび取外しを少ない工数で行うことができるようにしたパルスジェット式集塵機のケージ固定機構を提供することである。
【課題を解決するための手段】
【０００８】
上記の課題を解決するためになされた本発明は、ケージが挿入された筒状のフィルタの上方に逆洗用ノズル備えたマニホールドが配置されたパルスジェット式集塵機のケージ固定機構であって、弾性材料からなり、その中央連結部の両端から下方に延びる両脚をくの字状に屈曲させたケージ固定用部品を、前記中央連結部を前記マニホールドに当接させ、前記両脚の下端部をケージ上部のベンチュリに当接させた状態として各フィルタ毎に配置し、これらのケージ固定用部品の弾性によりケージの浮き上がりを防止したことを特徴とするものである。
【０００９】
なお請求項２のように、逆洗用ノズルが水平なマニホールドの下面に突設されたものであり、ケージ固定用部品の中央連結部をこのマニホールドと逆洗用ノズルとの連結部に当接させた構造とすることができる。また請求項３にように、ケージ固定用部品がバネ鋼線を屈曲させたものとすることができる。
【発明の効果】
【００１０】
本発明のパルスジェット式集塵機のケージ固定機構は、弾性材料からなり、その中央連結部の両端から下方に延びる両脚をくの字状に屈曲させたケージ固定用部品の弾性を利用して、ケージを固定する。しかもこのケージ固定部品は、逆洗用のマニホールドとケージとの間に簡単に取付けることができる。このため本発明によれば、ボルトや工具を必要とせず、確実にフィルタとケージを固定することができ、フィルタとケージの取付けおよび取外しを少ない工数で行うことができる。
【図面の簡単な説明】
【００１１】
【図１】一般的なパルスジェット式集塵機の断面図である。
【図２】ケージの一部切欠斜視図である。
【図３】本発明の実施形態を示す断面図である。
【図４】本発明のケージ固定用部品の三面図である。
【図５】要部の平面図である。
【図６】要部の正面図である。
【発明を実施するための形態】
【００１２】
以下に本発明の実施形態を、図３以下を参照しつつ詳細に説明する。
【００１３】
図３において、１０はパルスジェット式集塵機の筺体であり、１１はその内部を集塵室１２と清浄室１３とに区切るセルプレートである。集塵室１２には多数のフィルタ１４が取付けられており、吸気口１５より吸引された粉塵を含んだ空気は、フィルタ１４により粉塵と清浄な空気に分離された後、清浄室１３を通って排気口１６から排気されることは従来と同様である。
【００１４】
各フィルタ１４は円筒状であり、その内部には図２に示したようなケージ１７が挿入され、フィルタ形状を保持している。なお各フィルタ１４はその拡径された口部をセルプレート１１により保持されている。また各ケージ１７も上端の拡径部１８（図２参照）をセルプレート１１により保持されている。ケージ１７の上部にはベンチュリ１９がセットされる。
【００１５】
各フィルタ１４の上方には水平なマニホールド２０が配置されており、このマニホールド２０の下側には各フィルタ１４に逆洗用パルスジェットを吹き込むための逆洗用ノズル２１が突設されている。パルスジェットはベンチュリ１９を通じてフィルタ１４内に吹き込まれ、フィルタ１４の外面に堆積したダストを払い落す。なおダストは集塵室１２の下方のホッパ２２に落下し、排出口２３から外部に取り出される。
【００１６】
このようなパルスジェット逆洗を行なう場合にケージ１７がフィルタ１４内で動くことを防止するために、本発明においては、図４に示した形状のケージ固定用部品２４を用いる。このケージ固定用部品２４は弾性材料からなる線材を屈曲加工したものであり、実施形態ではバネ鋼線を屈曲させたものである。
【００１７】
ケージ固定用部品２４は、中央連結部２５の両端から下方に延びる脚部２６を備えたものであり、中央連結部２５はその中央部が下方にわずかに屈曲している。また脚部２６は側面視すると「く」の字状に屈曲しており、その先端に水平な下端部２７がつながった形状である。このため脚部２６の全体はＺの上辺を上向きに屈曲させたような形状である。
【００１８】
このようなケージ固定用部品２４は、図５、図６に示すようにマニホールド２０と各フィルタ１４との間にセットされる。セットの手順は、まずケージ固定用部品２４の脚部２６の下端部２７をケージ１７の上部のベンチュリ１９に当接させ、ベンチュリ１９の上面の突起２８に引掛けて固定する。次に中央連結部２５を手で押してケージ固定用部品２４を押し縮めながら、中央連結部２５をマニホールド２０と逆洗用ノズル２１との連結部に当接させる。
【００１９】
上記したようにケージ固定用部品２４は弾性材料からなるため、セットされたケージ固定用部品２０の弾性によりベンチュリ１９は下方に押し付けられ、ベンチュリ１９の下方のケージ１７も同様に下方に押し付けられてセルプレート１１に押さえつけられ固定される。このようにして、ケージ１７の上部はケージ固定部品２４のバネ効果により、常時下方へ抑え込まれ、ダスト払い落し時のケージ１７の浮き上がり等の動きを抑えることができる。このため、逆洗時にケージ１７がフィルタ１４の内部で振動してフィルタ１４を破損することを防止できる。
【００２０】
このように本発明によれば、弾性材料からなるケージ固定用部品２４を用いることによって、従来のようなボルトや工具を必要とせず、簡便かつ確実にフィルタ１４とケージ１７とを固定することができ、フィルタ１４とケージ１７の取付けおよび取外しを少ない工数で行うことができる。
【符号の説明】
【００２１】
１  セルプレート
２  集塵室
３  清浄室
４  フィルタ
５  吸気口
６  ノズル
７  ケージ
８  排気口
１０  筺体
１１  セルプレート
１２  集塵室
１３  清浄室
１４  フィルタ
１５  吸気口
１６  排気口
１７  ケージ
１８  拡径部
１９  ベンチュリ
２０  マニホールド
２１  逆洗用ノズル
２２  ホッパ
２３  排出口
２４  ケージ固定用部品
２５  中央連結部
２６  脚部
２７  下端部
２８  突起
【図１】
2015033653.tif 000003
【図２】
2015033653.tif 000004
【図３】
2015033653.tif 000005
【図４】
2015033653.tif 000006
【図５】
2015033653.tif 000007
【図６】
2015033653.tif 000008